(57)【要約】【課題】配線間のカップリングを低減し、検出性能の向上を図ることが可能なタッチ検出装置、およびこれを備える表示装置を提供する。【解決手段】実施形態に係るタッチ検出装置は、検出領域に設けられた複数の第１検出電極Ｔｘと、検出領域に設けられ、第１検出電極と交差して延びる複数の第２検出電極Ｒｘと、第１検出電極と第２検出電極との間に設けられた絶縁層と、それぞれ第１検出電極に接続され非検出領域に設けられた複数の第１制御配線ＣＬ１と、それぞれ第２検出電極に接続され非検出領域に設けられているとともに、平面視で複数の第１制御配線と複数個所で重なるように配置された複数の第２制御配線ＣＬ２と、を備えている。第１制御配線の線幅は、第１検出電極の幅および第２制御配線の線幅よりも狭く形成されている。【選択図】図５
2020194601.tif 000002
【特許請求の範囲】
【請求項１】
検出領域に設けられた複数の第１検出電極と、
前記検出領域に設けられ、前記第１検出電極と交差して延びる複数の第２検出電極と、
前記第１検出電極と第２検出電極との間に設けられた絶縁層と、
それぞれ前記第１検出電極に接続され非検出領域に設けられた複数の第１制御配線と、
それぞれ前記第２検出電極に接続され前記非検出領域に設けられているとともに、平面視で前記複数の第１制御配線と複数個所で重なるように配置された複数の第２制御配線と
、を備え、
前記第１制御配線の線幅は、前記第１検出電極の幅および前記第２制御配線の線幅よりも狭く形成されているタッチ検出装置。
【請求項２】
前記第１制御配線は、複数のスイッチング素子を含むスイッチを介して前記第１検出電極に接続されている請求項１に記載のタッチ検出装置。
【請求項３】
前記スイッチは、前記第１制御配線と第２制御配線とが重なる位置よりも前記第１検出電極に近い位置に設けられている請求項２に記載のタッチ検出装置。
【請求項４】
前記各第１制御配線は、２以上の選択信号を前記複数のスイッチング素子に入力する複数の配線で構成され、前記第１制御配線と第２制御配線とが重なる位置において、前記第１制御配線は、前記複数の配線の各々の重複面積が互いに等しくなるように、前記第２制御配線と交差している請求項２に記載のタッチ検出装置。
【請求項５】
前記複数の配線は、タッチ検出期間中に、複数の前記スイッチング素子に切換え信号を印加する第１配線および第２配線と、前記タッチ検出期間外に前記スイッチング素子に切換え信号を印加する第３配線と、を含み、
前記第３配線は、前記第２制御配線と重複する領域と重複しない領域との境界部分に配置されている請求項４に記載のタッチ検出装置。
【請求項６】
複数の画素を含む表示領域と非表示領域とを有する第１基板を備える表示パネルと、
前記表示パネルに設けられたタッチ検出装置と、を備え、
前記タッチ検出装置は、
前記表示領域に重ねて設けられた複数の第１検出電極と、
前記表示領域に重ねて設けられ、前記第１検出電極と交差して延びる複数の第２検出電極と、
前記第１検出電極と第２検出電極との間に設けられた絶縁層と、
それぞれ前記第１検出電極に接続され前記非表示領域に設けられた複数の第１制御配線と、
それぞれ前記第２検出電極に接続され前記非表示領域に設けられているとともに、平面視で前記複数の第１制御配線と複数個所で重なるように配置された複数の第２制御配線と、を備え、
前記第１制御配線の線幅は、前記第１検出電極の幅および前記第２制御配線の線幅よりも狭く形成されている表示装置。
【請求項７】
前記表示パネルは、前記第１基板に対向して配置されているとともに前記絶縁層を構成する第２基板と、前記第１基板と第２基板との間に配置された液晶層と、を備え、
前記第１検出電極は、前記第１基板に設けられ、前記第２検出電極は前記第２基板に設けられている請求項６に記載の表示装置。
【請求項８】
前記表示パネルは、前記第１基板に対向して配置された第２基板と、前記第１基板と第２基板との間に配置された液晶層と、を備え、
前記タッチ検出装置は、前記第２基板に重ねて設けられている請求項６に記載の表示装置。
【発明の詳細な説明】
【技術分野】
【０００１】
この発明の実施形態は、タッチ検出装置およびこれを備える表示装置に関する。
【背景技術】
【０００２】
近年、表示装置のインターフェースとして、タッチセンサ（タッチ検出装置）が用いられている。タッチセンサは、検出領域の設けられた複数の第１検出電極と、第１検出電極と交差して検出領域に設けられた複数の第２検出電極と、第１検出電極と第２検出電極との間に設けられた絶縁層と、を有している。また、複数の第１検出電極に各々接続された複数の第１配線は、検出領域の外側に位置する外側領域（額縁領域）に設けられている。同様に、第２検出電極に接続された複数の第２配線は外側領域（額縁領域）に設けられ、第１配線に重なって延在している。
【先行技術文献】
【特許文献】
【０００３】
【特許文献１】特開２０１３−１０５２７５号公報
【発明の概要】
【発明が解決しようとする課題】
【０００４】
上述したタッチセンサにおいて、第１配線および第２配線は、ほぼ平行に重なって、あるいは平行に並んで設けられている部分を有している。そのため、これら第１配線と第２配線との間にカップリング（寄生容量）が生じ易い。このカップリングは、タッチ検出にノイズとして表れ、タッチ検出を劣化させる場合がある。  
実施形態の課題は、配線間のカップリングを低減し、検出性能の向上を図ることが可能なタッチ検出装置、およびこれを備える表示装置を提供することにある。
【課題を解決するための手段】
【０００５】
実施形態に係るタッチ検出装置は、検出領域に設けられた複数の第１検出電極と、前記検出領域に設けられ、前記第１検出電極と交差して延びる複数の第２検出電極と、前記第１検出電極と第２検出電極との間に設けられた絶縁層と、それぞれ前記第１検出電極に接続され非検出領域に設けられた複数の第１制御配線と、それぞれ前記第２検出電極に接続され前記非検出領域に設けられているとともに、平面視で前記複数の第１制御配線と複数個所で重なるように配置された複数の第２制御配線と、を備えている。前記第１制御配線の線幅は、前記第１検出電極の幅および前記第２制御配線の線幅よりも狭く形成されている。
【図面の簡単な説明】
【０００６】
【図１】図１は、第１の実施形態に係る表示装置を示す斜視図。
【図２】図２は、前記表示装置に設けられたタッチ検出装置（タッチセンサ）を概略的に示す平面図。
【図３】図３は、タッチセンサのＴｘ駆動回路の一例を概略的に示すブロック図。
【図４】図４は、タッチセンサの駆動タイミングを示すタイミングチャート。
【図５】図５は、Ｔｘ駆動回路におけるスイッチとＴｘスキャナとの間の第１制御配線および第２制御配線の配置構造を概略的に示す平面図。
【図６Ａ】図６Ａは、図５の線Ｂ−Ｂに沿った表示パネルの断面図。
【図６Ｂ】図６Ｂは、図５の線Ｂ−Ｂに沿った制御配線の断面図。
【図７】図７は、第１基板の非表示領域に設けられた信号線の配置構造を概略的に示す平面図。
【図８Ａ】図８Ａは、第１変形例に係るタッチ検出装置のＴｘ駆動回路における第１制御配線および第２制御配線の配置構造を概略的に示す平面図。
【図８Ｂ】図８Ｂは、図８Ａの線Ｃ−Ｃに沿った制御配線の断面図。
【図９Ａ】図９Ａは、第２変形例に係るタッチ検出装置のＴｘ駆動回路における第１制御配線および第２制御配線の配置構造を概略的に示す平面図。
【図９Ｂ】図９Ｂは、図９Ａの線Ｄ−Ｄに沿った制御配線の断面図。
【図１０Ａ】図１０Ａは、第３変形例に係るタッチ検出装置のＴｘ駆動回路における第１制御配線および第２制御配線の配置構造を概略的に示す平面図。
【図１０Ｂ】図１０Ｂは、図１０Ａの線Ｅ−Ｅに沿った制御配線の断面図。
【図１１Ａ】図１１Ａは、第４変形例に係るタッチ検出装置のＴｘ駆動回路における第１制御配線および第２制御配線の配置構造を概略的に示す平面図。
【図１１Ｂ】図１１Ｂは、図１１Ａの線Ｆ−Ｆに沿った第５変形例に配置構造の断面図。
【図１２】図１２は、第５変形例に係るタッチ検出装置のＴｘ駆動回路における第１制御配線および第２制御配線の配置構造を概略的に示す平面図。
【図１３】図１３は、第６変形例に係るタッチ検出装置のＴｘ駆動回路における第１制御配線および第２制御配線の配置構造を概略的に示す平面図。
【図１４】図１４は、図１３の線Ｇ−Ｇに沿った第６変形例に配置構造の断面図。
【図１５】図１５は、第２の実施形態に係る表示装置におけるタッチ検出装置の電極構造および配線構造を概略的に示す平面図。
【図１６】図１６は、第２の実施形態における配線構造の一例を概略的に示す平面図。
【図１７】図１７は、第２の実施形態における配線構造の第７変形例を概略的に示す平面図。
【図１８】図１８は、第２の実施形態における配線構造の第８変形例を概略的に示す平面図。
【図１９】図１９は、第３の実施形態に係る表示装置およびタッチ検出装置の断面図。
【図２０】図２０は、第３の実施形態に係るタッチ検出装置の電極構造および配線構造を概略的に示す平面図。
【図２１】図２１は、第３の実施形態における配線構造の第９変形例を概略的に示す平面図。
【発明を実施するための形態】
【０００７】
以下、図面を参照しながら、この発明の実施形態について詳細に説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００８】
（第１の実施形態）  
図１は、第１の実施形態に係る表示装置を模式的に示す斜視図である。  
表示装置１０の一例として、液晶表示装置について説明する。表示装置１０は、例えばスマートフォン、タブレット端末、携帯電話機、ノートブックタイプＰＣ、携帯型ゲーム機、ビデオカメラ、電子辞書、車載装置、或いはテレビ受像装置などの各種の電子機器に組み込んで使用することができる。なお、本実施形態にて開示する主要な構成は、有機エレクトロルミネッセンス表示素子等を有する自発光型の表示装置、電気泳動素子等を有する電子ペーパ型の表示装置、ＭＥＭＳ（Micro Electro Mechanical Systems）を応用した表示装置、或いはエレクトロクロミズムを応用した表示装置などにも適用可能である。
【０００９】
図１に示すように、表示装置１０は、アクティブマトリクス型の表示パネル（液晶表示パネル）１２と、表示パネル１２を駆動する駆動ＩＣチップ（駆動素子）１４と、被検出物、例えば、指の接近あるいは接触を検知するタッチセンサ（タッチ検出装置）１６と、タッチセンサ１６を駆動するタッチ制御ＩＣ（駆動素子）１８と、表示パネル１２に接合された第１フレキシブル配線基板（ＦＰＣ）２０および第２フレキシブル配線基板（ＦＰＣ）２２と、を備えている。駆動ＩＣチップ１４は、表示パネル１２に実装されている。タッチ制御ＩＣ１８は、例えば、第２ＦＰＣ２２上に実装され、コネクタ２４を介して第１ＦＰＣ２０および駆動ＩＣチップ１４に接続されている。
【００１０】
表示パネル１２は、矩形平板状の第１基板（アレイ基板）ＳＵＢ１と、第１基板ＳＵＢ１に対向配置され矩形平板状の第２基板（対向基板）ＳＵＢ２と、第１基板ＳＵＢ１と第２基板ＳＵＢ２との間に保持された液晶層（後述する液晶層ＬＱ）と、を備えている。第１基板ＳＵＢ１および第２基板ＳＵＢ２は、例えば、ガラス基板や樹脂基板などの光透過性を有する絶縁基板（絶縁層）を用いて形成されている。第１基板ＳＵＢ１と第２基板ＳＵＢ２は、これらの間に所定のセルギャップを形成した状態でシール材ＳＥによって貼り合わされている。液晶層ＬＱは、第１基板ＳＵＢ１と第２基板ＳＵＢ２との間のセルギャップにおいてシール材ＳＥによって囲まれた内側に保持されている。
【００１１】
表示パネル１２は、平面視（表示パネル１２に垂直な方向から表示パネルを見た状態をいう。以下同様）でシール材ＳＥの内側となる領域に、画像を表示する表示領域ＤＡ、及び、表示領域ＤＡを囲む額縁状の非表示領域ＥＤを備えている。本実施形態において、表示領域ＤＡは、指等の接近およびタッチを検出するタッチ検出領域を兼ねている。また、非表示領域ＥＤは、非検出領域を兼ねている。  
表示パネル１２は、表示領域ＤＡにマトリクス状に配列された複数の画素ＰＸを備えている。第１基板ＳＵＢ１は、表示領域ＤＡにおいて、第１方向Ｘに延出するソース線Ｓ、第１方向Ｘと直交する第２方向Ｙに延出するゲート線Ｇ、各画素ＰＸにおいてゲート線Ｇおよびソース線Ｓと電気的に接続されたスイッチング素子ＳＷ、各画素ＰＸにおいてスイッチング素子ＳＷに接続された画素電極ＰＥなどを備えている。コモン電位の共通電極ＣＥは、第１基板ＳＵＢ１または第２基板ＳＵＢ２に備えられ、複数の画素電極ＰＥと対向する。なお、ゲート線Ｇは第１方向Ｘに平行な直線状に形成されていなくても良いし、ソース線Ｓは第２方向Ｙに平行な直線状に形成されていなくても良い。すなわち、ゲート線Ｇ及びソース線Ｓは、屈曲していてもよいし、一部が分岐していても良い。
【００１２】
表示パネル１２は、例えば、バックライト装置からの光を選択的に透過させることで画像を表示する透過表示機能を備えた透過型である。なお、表示パネル１２は、透過表示機能に加えて、外光や補助光といった表示面側からの光を選択的に反射させることで画像を表示する反射表示機能を備えた反射型であっても良い。更に、表示パネル１２は、透過表示機能及び反射表示機能を備えた半透過型であっても良い。  
表示パネル１２は、表示モードとして、主として基板主面に略平行な横電界を利用する横電界モードに対応した構成を有していても良いし、主として基板主面に略垂直な縦電界を利用する縦電界モードに対応した構成を有していても良い。
【００１３】
図２は、タッチセンサ１６の電極構造の一例を模式的に示す表示パネルの平面図である。図２に示すように、タッチセンサ１６は、第１基板ＳＵＢ１上に設けられた複数、例えば、３３本の第１検出電極Ｔｘ１〜Ｔｘｎと、絶縁層である第２基板ＳＵＢ２の上面（第１基板ＳＵＢ１と反対側の表面）に設けられた複数、例えば、６３本の第２検出電極Ｒｘ１〜Ｒｘｎと、を備えている。図面の複雑化を避けるため、図２では、電極の本数を削減して概略的に示している。第１検出電極Ｔｘ１〜Ｔｘｎは、ストライプ状に形成され、それぞれ第１基板ＳＵＢ１の長手方向（第１方向Ｘ）に沿って延びている。また、第１検出電極Ｔｘ１〜Ｔｘｎは、長手方向と直交する幅方向（第２方向Ｙ）に所定の間隔を置いて互いに平行に並んでいる。第１検出電極Ｔｘ１〜Ｔｘｎは、表示領域（タッチ検出領域）ＤＡのほぼ全面に対向して設けられている。また、本実施形態において、第１検出電極Ｔｘ１〜Ｔｘｎは、表示パネル１２の共通電極ＣＥを兼ねている。第１検出電極Ｔｘ1〜Ｔｘｎ（共通電極ＣＥ）は、インジウム・ティン・オキサイド（ＩＴＯ）やインジウム・ジンク・オキサイド（ＩＺＯ）などの透明な導電材料によって形成されている。
【００１４】
第２検出電極Ｒｘ１〜Ｒｘｎは、ストライプ状に形成され、それぞれ第２基板ＳＵＢ２の幅方向（第２方向Ｙ）、すなわち、第１検出電極Ｔｘ１〜Ｔｘｎの延出方向と直交あるいは交差する方向に延びている。第２検出電極Ｒｘ１〜Ｒｘｎは、第２基板ＳＵＢ２の長手方向に所定の間隔を置いて互いに平行に並んでいる。第２検出電極Ｒｘ１〜Ｒｘｎは、表示領域ＤＡのほぼ全面に対向して設けられている。これにより、第２検出電極Ｒｘ１〜Ｒｘは、表示領域ＤＡ内において、第１検出電極Ｔｘ１〜Ｔｘｎと交差するように配置され、更に、第２基板ＳＵＢ２を挟んで第１検出電極Ｔｘ１〜Ｔｘｎに重ねて配置されている。  
第２検出電極Ｒｘは、導電性の透明材料によって形成されている。このような導電性の透明材料は、例えばＩＴＯやＩＺＯ等の酸化物材料である。酸化物材料は、少なくともインジウム、スズ、亜鉛、ガリウム、及びチタンのいずれか一つを含んでいることが好ましい。導電性の透明材料は、特に酸化物材料に限定されるものではなく、導電性の有機材料、微細な導電性物質の分散体等で形成されていてもよい。また、第２検出電極Ｒｘは、上述した透明材料に限らず、アルミニウム（Ａｌ）、銅（Ｃｕ）、銀（Ａｇ）、モリブデン（Ｍｏ）、クロム（Ｃｒ）およびタングステン（Ｗ）からなる群から選ばれた１種以上の金属からなる金属層または合金層を含む導電膜で形成してもよい。この導電膜は、黒色化やメッシュ加工により、不可視化処理される。  
なお、第１検出電極Ｔｘは、第１方向Ｘに限らず、第２方向Ｙに延在するように設けてもよい。この場合、第２検出電極Ｒｘは、第１方向Ｘに延在するように設けられる。
【００１５】
タッチセンサ１６は、第１検出電極Ｔｘ１〜Ｔｘｎにそれぞれ接続された複数の第１制御配線ＣＬ１と、第２検出電極Ｒｘ１〜Ｒｘ１にそれぞれ接続された複数の第２制御配線ＣＬ２と、を有している。第１制御配線ＣＬ１は、各第１検出電極ＴｘとシフトレジスタＳＲあるいは駆動ＩＣチップ１４とを電気的に接続するための制御配線である。本実施形態において、複数の第１制御配線ＣＬ１は、第１検出電極Ｔｘ１〜Ｔｘｎの長手方向の一端、例えば、駆動ＩＣチップ１４側の一端から延出し、表示パネル１２の非表示領域ＥＤを通って、駆動ＩＣチップ１４まで延びている。第１制御配線ＣＬ１については後で詳しく説明する。
【００１６】
第２制御配線ＣＬ２（ａ、ｂ）は、各第２検出電極Ｒｘとタッチ制御ＩＣ１８とを電気的に接続するための制御配線である。複数の第２制御配線ＣＬ２は、第２検出電極Ｒｘ１〜Ｒｘｎの長手方向の一端から延出し、表示パネル１２の非表示領域ＥＤを通って、第２ＦＰＣ２２に接続されている。本実施形態において、奇数列の第２検出電極Ｒｘ１、Ｒｘ３、〜Ｒｘｎについては、第２制御配線ＣＬ２ａは、図２において第２検出電極Ｒｘの下端から延出し、下側縁側の非表示領域ＥＤを通り、第２ＦＰＣ２２まで延びている。偶数列の第２検出電極Ｒｘ２、Ｒｘ４、〜Ｒｘｎ−１については、第２制御配線ＣＬ２ｂは、図２において、第２検出電極Ｒｘの上端から延出し、上側縁側の非表示領域ＥＤを通り、更に、短辺側の非表示領域ＥＤを通って、第２ＦＰＣ２２まで延びている。  
本実施形態によれば、第２ＦＰＣ２２は、第２基板ＳＵＢ２の短辺において、一端側にずれて、すなわち、図２において、下側の端の近傍に接合されている。そのため、偶数列の第２検出電極Ｒｘ２、Ｒｘ４〜Ｒｘｎ−ａに接続された第２制御配線ＣＬ２ｂは、第２基板ＳＵＢ２の短辺側の端部において、ほぼ全幅に亘って延在している。
【００１７】
図３は、タッチセンサ１６の駆動回路の一例を概略的に示すブロック図、図４は、タッチセンサの駆動タイミングを示すタイミングチャートである。  
図３に示すように、タッチセンサ１６は、第１基板ＳＵＢ１上に設けられ複数の第１検出電極Ｔｘ１〜Ｔｘｎを順次駆動するＴｘ駆動回路３０を備えている。Ｔｘ駆動回路３０は、複数のシフトレジスタＳＲ１、ＳＲ２、ＳＲ３〜を含むＴｘスキャナ３２、選択信号を出力する複数のＡＮＤゲートＮ１、Ｎ２、Ｎ３、スイッチング素子ＳＷ１、ＳＷ２、ＳＷ３を含むスイッチＳＷを備えている。
【００１８】
スイッチング素子ＳＷ１は、第１検出電極ＴｘとＴＰＨラインとの間に設けられ、ＡＮＤゲートＮ１からのセレクト信号ＴＰＨＳＥＬに応じて開閉することにより、ハイレベルの検出駆動信号ＴＰＨを第１検出電極Ｔｘに印加する。スイッチング素子ＳＷ２は、第１検出電極ＴｘとＴＰＬラインとの間に設けられ、ＡＮＤゲートＮ２からのセレクト信号ＴＰＬＳＥＬに応じて開閉することにより、ローレベルの検出駆動信号ＴＰＬを第１検出電極Ｔｘに印加する。スイッチング素子ＳＷ３は、第１検出電極ＴｘとＶｃｏｍ電源ラインとの間に設けられ、ＡＮＤゲートＮ３からのセレクト信号ＶｃｏｍＳＥＬに応じて開閉することにより、Ｖｃｏｍ電圧を第１検出電極Ｔｘに印加する。
【００１９】
Ｔｘスキャナ３２は、駆動ＩＣチップ１４からのスキャナ制御信号に応じて、複数のシフトレジスタＳＲ１、ＳＲ２、ＳＲ３〜を順次駆動する。各シフトレジスタＳＲ１、ＳＲ２、ＳＲ３〜の各出力信号は、ＡＮＤゲートＮ１、Ｎ２、Ｎ３の一方の入力端子に入力される。ＡＮＤゲートＮ１、Ｎ２、Ｎ３の他方の入力端子には、駆動ＩＣチップ１４から信号ＶｃｏｍＳＥＬが入力される。  
駆動ＩＣチップ１４は、垂直同期信号および水平同期信号をタッチ検出用のタッチ制御ＩＣ１８に入力し、タッチ制御ＩＣ１８は、入力された同期信号に応じて、第１検出電極Ｔｘの駆動信号を駆動ＩＣチップ１４に入力する。また、第２検出電極Ｒｘで検出された検出信号は、第２制御配線ＣＬ２を介して、タッチ検出用のタッチ制御ＩＣ１８に送られる。
【００２０】
図４に示すように、駆動ＩＣチップ１４は、水平同期信号に応じて、１水平期間に、表示期間Ａとタッチ検出期間Ｂとを交互に複数回繰り返して実行する。各表示期間Ａにおいて、Ｔｘ駆動回路３０は、スイッチング素子ＳＷ３をオン、スイッチング素子ＳＷ２、ＳＷ３をそれぞれオフに切換え、第１検出電極（共通電極）ＴｘにＶｃｏｍ電圧を印加する。また、表示期間Ａにおいて、駆動ＩＣチップ１４は、後述する制御配線を通して、表示領域ＤＡのゲート線および映像信号線に切換え信号および映像信号ＳｉｇＸを供給する。
タッチ検出期間Ｂにおいて、駆動ＩＣチップ１４は、タッチ制御ＩＣ１８からのＴｘ駆動信号に応じて、シフトレジスタＳＲ１、ＳＲ２、〜を順次切換え、スイッチング素子ＳＷ１、ＳＷ２を交互にオン、オフ切換えする。これにより、タッチ検出期間Ｂにおいて、第１検出電極Ｔｘにハイレベル（順位相）の検出駆動信号ＴＰＨおよびローレベル（逆位相）の検出駆動信号ＴＰＬを交互に印加する。タッチ検出期間Ｂにおいて、表示パネル１２の表示面（検出領域）に指が接近あるいはタッチすると、タッチ位置を中心として、第２検出電極Ｒｘに容量が付加され、第１検出電極ＴＸと第２検出電極ＲＸとの間の容量が変動する。この容量変動を含んだ検出信号が第２検出電極Ｒｘからタッチ制御ＩＣ１８に送られる。タッチ制御ＩＣ１８は、受信した検出信号に基づいて、タッチおよびタッチ座標位置を検出する。
【００２１】
図５は、Ｔｘ駆動回路３０におけるスイッチＳＷとＴｘスキャナ（シフトレジスタＳＲ）３２との間の第１制御配線ＣＬ１および第２制御配線ＣＬ２の配置構造を概略的に示す平面図である。  
本実施形態によれば、図５に示すように、Ｔｘ駆動回路３０の各スイッチＳＷは、第１検出電極Ｔｘ１〜Ｔｘｎの長手方向一端（駆動ＩＣチップ１４側の端）に隣接して設けられ、第１検出電極Ｔｘ１〜Ｔｘｎの端に直接的に接続されている。そして、偶数列の第２検出電極Ｒｘ２〜Ｒｘｎ−１に接続された複数の第２制御配線ＣＬ２ｂは、第２基板ＳＵＢ２の短辺側の非表示領域ＥＤにおいて、スイッチＳＷとＴｘスキャナ（シフトレジスタＳＲ）３２との間に設けられ、第２基板ＳＵＢ２の短辺とほぼ平行に延びている。
【００２２】
スイッチＳＷに制御信号を送る第１制御配線ＣＬ１は、シフトレジスタＳＲ１〜ＳＲｎから対応するスイッチＳＷまでそれぞれ延びている。本実施形態において、各第１制御配線ＣＬ１は、例えば、階段状に屈曲して設けられている。すなわち、各第１制御配線ＣＬ１は、シフトレジスタＳＲから第２制御配線ＣＬ２ｂと直交する方向に延出した後、直角に屈曲し、第２制御配線ＣＬ２ｂと平行に延び、更に、直角に屈曲し、スイッチＳＷまで第２制御配線ＣＬ２と直交する方向に延びている。これにより、第１制御配線ＣＬ１は、その一部が、第２制御配線と直交するように重なって位置し、一部が、第２制御配線ＣＬ２ｂと平行に重なって延びている。このように、各第１制御配線ＣＬ１は、平面視で、大部分が、第２制御配線ＣＬ２ｂに対して平行以外の角度で傾斜して延び、本実施形態では、第２制御配線ＣＬ２ｂに対してほぼ直角に延び、一部分のみが第２制御配線ＣＬ２ｂとほぼ平行に延びている。これにより、第１制御配線ＣＬ１は、平面視で、第２制御配線ＣＬ２ｂと部分的に重なって位置し、全長に亘って平行に重なってはいない。更に、後述するように、第１制御配線ＣＬ１の幅Ｗ１は、第２制御配線ＣＬ２ｂの幅Ｗ２に比較して非常に小さいことから、第１制御配線ＣＬ１と第２制御配線ＣＬ２とが重なる領域においても、重なり面積を小さくすることができる。
なお、図５では、図面の複雑化を避けるため、中央部に位置する他の複数の第１検出電極Ｔｘ、スイッチＳＷ、第１制御配線ＣＬ１を省略して示している。
【００２３】
図６Ａは、図５の線Ｂ−Ｂに沿った表示パネルの断面図である。図５および図６Ａに示すように、各第１制御配線ＣＬ１の幅Ｗ１は、第１検出電極Ｔｘの幅よりも狭く、また、第２制御配線ＣＬ２の幅Ｗ２よりも狭く形成されている。実施形態では、第１制御配線ＣＬ１の幅Ｗ１は、第２制御配線ＣＬ２の幅Ｗ２の１／２以下、より好ましくは、１／５以下に形成されている。第１制御配線ＣＬ１は、シフトレジスタＳＲからスイッチＳＷに選択信号を送信するのみであることから、細い配線で構成することが可能となる。第１制御配線ＣＬ１において、シフトレジスタＳＲ１〜ＳＲｎからスイッチＳＷまでの配線の電位は、例えば、２．５〜８Ｖであり、スイッチＳＷから第１検出電極Ｔｘまでの配線の電位は、例えば、８Ｖあるいは１０Ｖ程度となる。  
各第１制御配線ＣＬ１は、スイッチＳＷ１（ＴＰＨ）に選択信号を送る配線Ｒ１（ＴＰＨＳＥＬ）、スイッチＳＷ２（ＴＰＬ）に選択信号を送る配線Ｒ２（ＴＰＬＳＥＬ）、およびスイッチＳＷ３（ＶＣＯＭＤＣ）に選択信号を送る配線Ｒ３（ＶｃｏｍＳＥＬ）の３本セットで構成されている。これら３本の配線Ｒ１〜Ｒ３を併せた幅が第１制御配線ＣＬ１の幅Ｗ１に相当している。第１制御配線ＣＬ１と第２制御配線ＣＬ２ｂとが重なる重複位置において、第１制御配線ＣＬ１を構成する３本の配線Ｒ１〜Ｒ３の全てが共通の第２制御配線ＣＬ２ｂと重なって位置している。
【００２４】
図６Ｂは、図５の線Ｂ−Ｂに沿った制御配線の断面を模式的に示す断面図である。上述した配線構造では、交差する部位に応じて、第１制御配線ＣＬ１と重なる第２制御配線ＣＬ２と、重ならない第２制御配線ＣＬ２と、が生じる。例えば、図６Ｂに示す断面では、２本の第２制御配線ＣＬ２（Ｒｘ４、Ｒｘ６）が第１制御配線ＣＬ１と重なり、１本の第２制御配線ＣＬ２（Ｒｘ２）は第１制御配線ＣＬ１と重ならない。この場合、重なっている２本の第２制御配線ＣＬ２（Ｒｘ４、Ｒｘ６）と２本の第１制御配線ＣＬ１との間には、カップリングが生じる。更に、図６Ｂに２点鎖線の矢印で示すように、重なっていない第２制御配線ＣＬ２（Ｒｘ２）と隣接する第１制御配線ＣＬ１との間にもカップリングが生じる可能性がある。このような、重なっていない第２制御配線ＣＬ２（Ｒｘ２）と第１制御配線ＣＬ１との間のカップリングの発生を防止するため、本実施形態によれば、第１制御配線ＣＬ１を構成する３本の配線は、固定電位となる配線Ｒ３（ＶＣＯＭＳＥＬ）が、上記重なっていない第２制御配線ＣＬ２（Ｒｘ２）に最も隣接するように配列されている。配線Ｒ３は、第２制御配線ＣＬ２ｂと重複する領域と重複しない領域との境界部分に配置されている。すなわち、第１制御配線ＣＬ１を構成する３本の配線Ｒ１、Ｒ２、Ｒ３は、重なっていない第２制御配線ＣＬ２（Ｒｘ２）側からＲ３、Ｒ２、Ｒ１の順で配列されている。  
第１制御配線ＣＬ１を上記配列とすることにより、不要なカップリングの発生を抑制し、タッチ検出領域におけるノイズの発生およびタッチ検出性能の劣化を一層効果的に抑制することができる。なお、配線Ｒ２、Ｒ１の順番はいずれでもよい。
【００２５】
図７は、第１基板ＳＵＢ１の非表示領域ＥＤに設けられた信号線ＳＬの配置構造を概略的に示す平面図である。図に示すように、本実施形態によれば、駆動ＩＣチップ１４から表示領域ＤＡのソース線Ｓあるいは映像信号線にまで延びる複数の信号線ＳＬ１は、第１基板ＳＵＢ１において、複数のスイッチＳＷ１〜ＳＷｎを避けるように配置されている。例えば、信号線ＳＬ１は、複数本ずつに纏められた状態で、それぞれ隣接する２つのスイッチＳＷ間に配置されている。
【００２６】
以上のように構成された本実施形態に係るタッチ検出装置および液晶表示装置によれば、タッチ検出用の第１検出電極Ｔｘ１〜Ｔｘｎに接続された第１制御配線ＣＬ１は、その大部分が平行と異なる角度を持って第２制御配線ＣＬ２ｂと重なり、第２制御配線ＣＬ２と平行に重なる領域を大幅に低減している。同時に、第１制御配線ＣＬ１は、第２制御配線ＣＬ２ｂ幅Ｗ２に比較して、狭い幅Ｗ１（Ｗ２の１／２以下、好ましくは１／５以下）に形成されているため、第１制御配線ＣＬ１と第２制御配線ＣＬ２ｂとが重なる部分の面積（重なり面積）を大幅に低減することが可能となる。これにより、第１制御配線ＣＬ１と第２制御配線ＣＬ２ｂとの重なり部分に形成されるカップリング容量を大幅に低減することができる。従って、カップリング容量に起因するタッチ検出領域におけるノイズの発生およびタッチ検出性能の劣化を抑制し、タッチ検出領域の全域に亘って安定したタッチ検出を実現可能なタッチ検出装置、およびこれを備える表示装置を得ることができる。  
なお、第１検出電極、および第２検出電極の設置数、形状、および形成材料は、上述した第１の実施形態に限定されることなく、適宜、変更することができる。タッチ検出装置の第１検出電極は、表示パネル１２の第１基板ＳＵＢ１上に設ける場合に限らず、第２基板ＳＵＢ２の表示面上に重ねて、第１検出電極、絶縁層、および第２検出電極を積層した構成としてもよい。
【００２７】
次に、種々の変形例および他の実施形態に係る表示装置およびタッチ検出装置について説明する。以下に説明する変形例および他の実施形態において、前述した第１の実施形態と同一の部分には、同一の参照符号を付してその詳細な説明を簡略化あるいは省略し、第１の実施形態と異なる部分を中心に詳しく説明する。
【００２８】
（第１変形例）  
図８Ａは、第１変形例に係る表示装置およびタッチ検出装置の第１制御配線および第２制御配線の配置構造を概略的に示す平面図である。第１変形例によれば、第１制御配線ＣＬ１および第２制御配線ＣＬ２ｂの少なくとも一方は、重なり位置において、他方の制御配線に対して傾斜角度を持って、すなわち、斜めに交差するように重なって延びている。
図８に示すように、第１変形例では、偶数列の第２検出電極Ｒｘ２〜Ｒｘｎ−１に接続された複数の第２制御配線ＣＬ２ｂは、第２基板ＳＵＢ２の短辺側の非表示領域ＥＤにおいて、スイッチＳＷとＴｘスキャナ（シフトレジスタＳＲ）３２との間を、第２基板ＳＵＢ２の短辺と平行な方向に延びている。更に、複数の第２制御配線ＣＬ２の一部、例えば、Ｔｘスキャナ３２の近傍の部分は、鋸刃状に傾斜した複数の傾斜部６４を有している。傾斜部６４は、第２基板ＳＵＢ２の短辺と平行な方向に対して、角度θ、例えば、３０〜９０度、傾斜している。
【００２９】
スイッチＳＷに制御信号を送る第１制御配線ＣＬ１は、シフトレジスタＳＲ１〜ＳＲｎから対応するスイッチＳＷまでそれぞれ延びている。本変形例において、各第１制御配線ＣＬ１は、ステップ状に屈曲して設けられている。すなわち、各第１制御配線ＣＬ１は、シフトレジスタＳＲから第２基板ＳＵＢ２の短辺と直交する方向に延出した後、直角に屈曲し、第２基板ＳＵＢ２の短辺と平行に延び、更に、直角に屈曲し、スイッチＳＷまで延びている。第１制御配線ＣＬ１は、その一部が、第２制御配線ＣＬ２ｂの傾斜部６４と交差して延びている。この際、傾斜部６４は角度θ傾斜しているため、第１制御配線ＣＬ１も角度θないし９０度の傾斜角度を持って、第２制御配線ＣＬ２と交差してあるいは重なって延びている。これにより、第１制御配線ＣＬ１が第２制御配線ＣＬ２ｂと平行に重なることが無く、重なり部分の面積を大幅に低減することが可能となる。同時に、各第１制御配線ＣＬ１と複数の第２制御配線ＣＬ２との複数の重なり部の重なり面積が均一となり、タッチ検出領域におけるノイズの発生およびタッチ検出性能の劣化を抑制することができる。  
更に、第２制御配線ＣＬ２の外側で第２基板ＳＵＢ２の周縁部にグランド層６０を形成してもよい。このグランド層６０は、シフトレジスタＳＲに重ねて設けられている。
【００３０】
図８Ｂは、図８Ａの線Ｃ−Ｃに沿った制御配線の断面を模式的に示す断面図である。上述した配線構造では、交差する部位に応じて、第１制御配線ＣＬ１と重なる第２制御配線ＣＬ２と、重ならない第２制御配線ＣＬ２と、が生じる。例えば、図８Ｂに示す断面では、２本の第２制御配線ＣＬ２（Ｒｘ４、Ｒｘ６）が第１制御配線ＣＬ１と重なり、１本の第２制御配線ＣＬ２（Ｒｘ２）は第１制御配線ＣＬ１と重ならない。この場合、重なっている２本の第２制御配線ＣＬ２（Ｒｘ４、Ｒｘ６）と２本の第１制御配線ＣＬ１との間には、カップリングが生じる。更に、図８Ｂに２点鎖線の矢印で示すように、重なっていない第２制御配線ＣＬ２（Ｒｘ２）と隣接する第１制御配線ＣＬ１との間にもカップリングが生じる可能性がある。このような、重なっていない第２制御配線ＣＬ２（Ｒｘ２）と第１制御配線ＣＬ１との間のカップリングの発生を防止するため、本変形例によれば、第１制御配線ＣＬ１を構成する３本の配線は、固定電位となる配線Ｒ３（ＶＣＯＭＳＥＬ）が、上記重なっていない第２制御配線ＣＬ２（Ｒｘ２）に最も隣接するように配列されている。配線Ｒ３は、第２制御配線ＣＬ２ｂと重複する領域と重複しない領域との境界部分に配置されている。すなわち、第１制御配線ＣＬ１を構成する３本の配線Ｒ１、Ｒ２、Ｒ３は、重なっていない第２制御配線ＣＬ２（Ｒｘ２）側からＲ３、Ｒ２、Ｒ１の順で配列されている。  
第１制御配線ＣＬ１を上記配列とすることにより、不要なカップリングの発生を抑制し、タッチ検出領域におけるノイズの発生およびタッチ検出性能の劣化を一層効果的に抑制することができる。なお、配線Ｒ２、Ｒ１の順番はいずれでもよい。
【００３１】
（第２変形例）  
図９Ａは、第２変形例に係る表示装置およびタッチ検出装置の第１制御配線および第２制御配線の配置構造を概略的に示す平面図である。第２変形例によれば、第１制御配線ＣＬ１および第２制御配線ＣＬ２ｂの少なくとも一方は、重なり位置において、他方の制御配線に対して傾斜角度を持って、すなわち、斜めに交差するように重なって延びている。
図９に示すように、第２変形例では、偶数列の第２検出電極Ｒｘ２〜Ｒｘｎ−１に接続された複数の第２制御配線ＣＬ２ｂは、第２基板ＳＵＢ２の短辺側の非表示領域ＥＤにおいて、スイッチＳＷとＴｘスキャナ（シフトレジスタＳＲ）３２との間を、第２基板ＳＵＢ２の短辺と平行な方向に延びている。
【００３２】
スイッチＳＷに制御信号を送る第１制御配線ＣＬ１は、シフトレジスタＳＲ１〜ＳＲｎから対応するスイッチＳＷまでそれぞれ直線的に延びている。各第１制御配線ＣＬ１は、第２基板ＳＵＢ２の短辺と平行な方向に対して、すなわち、第２制御配線ＣＬ２ｂに対して、角度θ、例えば、３０〜９０度、傾斜している。各第１制御配線ＣＬ１は、その一部が、第２制御配線ＣＬ２ｂを横切って延びている。この際、第１制御配線ＣＬ１は角度θの傾斜角度を持って、第２制御配線ＣＬ２と交差し、あるいは重なって延びている。これにより、第１制御配線ＣＬ１が第２制御配線ＣＬ２ｂと平行に重なることが無く、重なり部分の面積を大幅に低減することが可能となる。同時に、各第１制御配線ＣＬ１と複数の第２制御配線ＣＬ２との複数の重なり部分の重なり面積が実質的に均一となり、タッチ検出領域におけるノイズの発生およびタッチ検出性能の劣化を抑制することができる。
【００３３】
図９Ｂは、図９Ａの線Ｄ−Ｄに沿った制御配線の断面を模式的に示す断面図である。上述した配線構造では、交差する部位に応じて、第１制御配線ＣＬ１と重なる第２制御配線ＣＬ２と、重ならない第２制御配線ＣＬ２と、が生じる。例えば、図９Ｂに示す断面では、２本の第２制御配線ＣＬ２（Ｒｘ４、Ｒｘ６）が第１制御配線ＣＬ１と重なり、１本の第２制御配線ＣＬ２（Ｒｘ２）は第１制御配線ＣＬ１と重ならない。この場合、重なっている２本の第２制御配線ＣＬ２（Ｒｘ４、Ｒｘ６）と２本の第１制御配線ＣＬ１との間には、カップリングが生じる。更に、図９Ｂに２点鎖線の矢印で示すように、重なっていない第２制御配線ＣＬ２（Ｒｘ２）と隣接する第１制御配線ＣＬ１との間にもカップリングが生じる可能性がある。このような、重なっていない第２制御配線ＣＬ２（Ｒｘ２）と第１制御配線ＣＬ１との間のカップリングの発生を防止するため、本実施形態によれば、第１制御配線ＣＬ１を構成する３本の配線の内、固定電位となる配線Ｒ３（ＶＣＯＭＳＥＬ）が、上記重なっていない第２制御配線ＣＬ２（Ｒｘ２）に最も隣接するように配列されている。配線Ｒ３は、第２制御配線ＣＬ２ｂと重複する領域と重複しない領域との境界部分に配置されている。すなわち、第１制御配線ＣＬ１を構成する３本の配線Ｒ１、Ｒ２、Ｒ３は、重なっていない第２制御配線ＣＬ２（Ｒｘ２）側からＲ３、Ｒ２、Ｒ１の順で配列されている。  
第１制御配線ＣＬ１を上記配列とすることにより、不要なカップリングの発生を抑制し、タッチ検出領域におけるノイズの発生およびタッチ検出性能の劣化を一層効果的に抑制することができる。なお、配線Ｒ２、Ｒ１の順番はいずれでもよい。
【００３４】
（第３変形例）  
図１０Ａは、第３変形例に係る表示装置およびタッチ検出装置の第１制御配線および第２制御配線の配置構造を概略的に示す平面図である。第３変形例によれば、第１制御配線ＣＬ１および第２制御配線ＣＬ２ｂの少なくとも一方は、重なり位置において、他方の制御配線に対して傾斜角度を持って、すなわち、斜めに交差するように重なって延びている。  
図１０Ａに示すように、第３変形例では、偶数列の第２検出電極Ｒｘ２〜Ｒｘｎ−１に接続された複数の第２制御配線ＣＬ２ｂは、第２基板ＳＵＢ２の短辺側の非表示領域ＥＤにおいて、スイッチＳＷとＴｘスキャナ（シフトレジスタＳＲ）３２との間を、第２基板ＳＵＢ２の短辺と平行な方向に延びている。更に、各第２制御配線ＣＬ２の少なくとも一部、本変形例では、各第２制御配線ＣＬ２の全部が、波状、サイン波状、鋸歯状等の連続した凹凸を有する形成に形成されている。第２制御配線ＣＬ２の各部は、第２基板ＳＵＢ２の短辺と平行な方向に対して、例えば、３０〜９０度、傾斜している。
【００３５】
各第１制御配線ＣＬ１は、ステップ状に屈曲して設けられている。すなわち、各第１制御配線ＣＬ１は、Ｔｘスキャナ３２から第２基板ＳＵＢ２の短辺と直交する方向に延出した後、直角に屈曲し、第２基板ＳＵＢ２の短辺と平行に延び、更に、直角に屈曲し、スイッチＳＷまで延びている。第１制御配線ＣＬ１は、その一部が、第２制御配線ＣＬ２ｂの傾斜部６４と交差して延びている。この際、各第２制御配線ＣＬ２は、波状に形成されているため、第１制御配線ＣＬ１は、全ての重なり部において、角度θないし９０度の傾斜角度を持って、第２制御配線ＣＬ２と交差して延びている。これにより、第１制御配線ＣＬ１が第２制御配線ＣＬ２ｂと平行に重なることが無く、重なり部分の面積を大幅に低減することが可能となる。同時に、各第１制御配線ＣＬ１と複数の第２制御配線ＣＬ２との複数の重なり部の重なり面積が実質的に均一となり、タッチ検出領域におけるノイズの発生およびタッチ検出性能の劣化を抑制することができる。
【００３６】
図１０Ｂは、図１０Ａの線Ｅ−Ｅに沿った制御配線の断面を模式的に示す断面図である。上述した配線構造では、交差する部位に応じて、第１制御配線ＣＬ１と重なる第２制御配線ＣＬ２と、重ならない第２制御配線ＣＬ２と、が生じる。例えば、図１０Ｂに示す断面では、２本の第２制御配線ＣＬ２（Ｒｘ４、Ｒｘ６）が第１制御配線ＣＬ１と重なり、１本の第２制御配線ＣＬ２（Ｒｘ２）は第１制御配線ＣＬ１と重ならない。この場合、重なっている２本の第２制御配線ＣＬ２（Ｒｘ４、Ｒｘ６）と２本の第１制御配線ＣＬ１との間には、カップリングが生じる。更に、図１０Ｂに２点鎖線の矢印で示すように、重なっていない第２制御配線ＣＬ２（Ｒｘ２）と隣接する第１制御配線ＣＬ１との間にもカップリングが生じる可能性がある。このような、重なっていない第２制御配線ＣＬ２（Ｒｘ２）と第１制御配線ＣＬ１との間のカップリングの発生を防止するため、本実施形態によれば、第１制御配線ＣＬ１を構成する３本の配線の内、固定電位となる配線Ｒ３（ＶＣＯＭＳＥＬ）が、上記重なっていない第２制御配線ＣＬ２（Ｒｘ２）に最も隣接するように配列されている。配線Ｒ３は、第２制御配線ＣＬ２ｂと重複する領域と重複しない領域との境界部分に配置されている。すなわち、第１制御配線ＣＬ１を構成する３本の配線Ｒ１、Ｒ２、Ｒ３は、重なっていない第２制御配線ＣＬ２（Ｒｘ２）側からＲ３、Ｒ２、Ｒ１の順で配列されている。  
第１制御配線ＣＬ１を上記配列とすることにより、不要なカップリングの発生を抑制し、タッチ検出領域におけるノイズの発生およびタッチ検出性能の劣化を一層効果的に抑制することができる。なお、配線Ｒ２、Ｒ１の順番はいずれでもよい。
【００３７】
（第４変形例）  
図１１Ａは、第４変形例に係る表示装置およびタッチ検出装置の第１制御配線および第２制御配線の配置構造を概略的に示す平面図である。第４変形例によれば、偶数列の第２検出電極Ｒｘ２〜Ｒｘｎ−１に接続された複数の第２制御配線ＣＬ２ｂは、第２基板ＳＵＢ２の短辺側の非表示領域ＥＤにおいて、スイッチＳＷとＴｘスキャナ（シフトレジスタＳＲ）３２との間を、第２基板ＳＵＢ２の短辺と平行な方向に延びている。  
スイッチＳＷに制御信号を送る第１制御配線ＣＬ１は、シフトレジスタＳＲ１〜ＳＲｎから対応するスイッチＳＷまでそれぞれ一方向に延びている。各第１制御配線ＣＬ１は、第２基板ＳＵＢ２の短辺と平行な方向に対して、すなわち、第２制御配線ＣＬ２ｂに対して、角度θ、例えば、３０〜９０度、傾斜している。更に、各第１制御配線ＣＬ１の少なくとも一部、本変形例では、各第１制御配線ＣＬ１の全部が、面方向に波状、サイン波状、鋸歯状等の連続した凹凸を有する形成に形成されている。  
【００３８】
各第１制御配線ＣＬ１は、その一部が、第２制御配線ＣＬ２ｂを横切って延びている。この際、第１制御配線ＣＬ１は角度θないし９０度の傾斜角度を持って、第２制御配線ＣＬ２と交差し、あるいは重なって延びている。更に、各第１制御配線ＣＬ１は、波状に形成されていることから、重なり部の大部分において、第２制御配線ＣＬ２とほぼ直交する方向に交差している。  
これにより、第１制御配線ＣＬ１が第２制御配線ＣＬ２ｂと平行に重なることが無く、重なり部分の面積を一層低減することが可能となる。同時に、各第１制御配線ＣＬ１と複数の第２制御配線ＣＬ２との複数の重なり部の重なり面積が実質的に均一となり、タッチ検出領域におけるノイズの発生およびタッチ検出性能の劣化を抑制することができる。
【００３９】
図１１Ｂは、図１１Ａの線Ｆ−Ｆに沿った制御配線の断面を模式的に示す断面図である。上述した配線構造では、交差する部位に応じて、第１制御配線ＣＬ１と重なる第２制御配線ＣＬ２と、重ならない第２制御配線ＣＬ２と、が生じる。例えば、図１１Ｂに示す断面では、２本の第２制御配線ＣＬ２（Ｒｘ４、Ｒｘ６）が第１制御配線ＣＬ１と重なり、１本の第２制御配線ＣＬ２（Ｒｘ２）は第１制御配線ＣＬ１と重ならない。この場合、重なっている２本の第２制御配線ＣＬ２（Ｒｘ４、Ｒｘ６）と２本の第１制御配線ＣＬ１との間には、カップリングが生じる。更に、図１１Ｂに２点鎖線の矢印で示すように、重なっていない第２制御配線ＣＬ２（Ｒｘ２）と隣接する第１制御配線ＣＬ１との間にもカップリングが生じる可能性がある。このような、重なっていない第２制御配線ＣＬ２（Ｒｘ２）と第１制御配線ＣＬ１との間のカップリングの発生を防止するため、本実施形態によれば、第１制御配線ＣＬ１を構成する３本の配線の内、固定電位となる配線Ｒ３（ＶＣＯＭＳＥＬ）が、上記重なっていない第２制御配線ＣＬ２（Ｒｘ２）に最も隣接するように配列されている。配線Ｒ３は、第２制御配線ＣＬ２ｂと重複する領域と重複しない領域との境界部分に配置されている。すなわち、第１制御配線ＣＬ１を構成する３本の配線Ｒ１、Ｒ２、Ｒ３は、重なっていない第２制御配線ＣＬ２（Ｒｘ２）側からＲ３、Ｒ２、Ｒ１の順で配列されている。  
第１制御配線ＣＬ１を上記配列とすることにより、不要なカップリングの発生を抑制し、タッチ検出領域におけるノイズの発生およびタッチ検出性能の劣化を一層効果的に抑制することができる。なお、配線Ｒ２、Ｒ１の順番はいずれでもよい。
【００４０】
（第５変形例）  
図１２は、第５変形例に係る表示装置およびタッチ検出装置の第１制御配線および第２制御配線の配置構造を概略的に示す平面図である。第５変形例によれば、Ｔｘ駆動回路のスイッチＳＷは、それぞれＴｘスキャナ３２のシフトレジスタＳＲ１〜ＳＲｎに隣接して設けられ、第１検出電極Ｔｘの一端から離間している。  
偶数列の第２検出電極Ｒｘ２〜Ｒｘｎ−１に接続された複数の第２制御配線ＣＬ２ｂは、第２基板ＳＵＢ２の短辺側の非表示領域ＥＤにおいて、第１検出電極Ｔｘの一端とスイッチＳＷとの間を、第２基板ＳＵＢ２の短辺と平行な方向に延びている。
【００４１】
スイッチＳＷから第１検出電極Ｔｘに制御信号を送る第１制御配線ＣＬ１は、ストライプ状に形成され、スイッチＳＷから対応する第１検出電極Ｔｘの一端までそれぞれ直線的に延びている。本変形例によれば、各第１制御配線ＣＬ１の幅（配線太さ）は、第１検出電極Ｔｘの幅とほぼ等しく、あるいは、第２制御配線ＣＬ２ｂの幅とほぼ等しく形成されている。また、各第１制御配線ＣＬ１は、第２基板ＳＵＢ２の短辺と平行な方向に対して、すなわち、第２制御配線ＣＬ２ｂに対して、角度θ、例えば、３０〜９０度、傾斜している。各第１制御配線ＣＬ１は、複数の第２制御配線ＣＬ２ｂを横切って延びている。この際、第１制御配線ＣＬ１は角度θの傾斜角度を持って、第２制御配線ＣＬ２と交差し、あるいは重なって延びている。これにより、第１制御配線ＣＬ１が第２制御配線ＣＬ２ｂと平行に重なることが無く、重なり部分の面積を大幅に低減することが可能となる。同時に、各第１制御配線ＣＬ１と複数の第２制御配線ＣＬ２との複数の重なり部の重なり面積が均一となり、タッチ検出領域におけるノイズの発生およびタッチ検出性能の劣化を抑制することができる。
【００４２】
（第６変形例）  
図１３は、第６変形例に係る表示装置およびタッチ検出装置の第１制御配線および第２制御配線の配置構造を概略的に示す平面図、図１４は、図１３の線Ｇ−Ｇに沿った表示装置の断面図である。第６変形例によれば、表示装置は、第１制御配線として機能する２本の電源配線を更に備えている。すなわち、表示装置は、第１基板ＳＵＢ１上に設けられた第１電源配線Ｐ１（ＶＣＯＭＳＥＬ）および逆位相の第２電源配線Ｐ２（ｘＶＣＯＭＳＥＬ）を有している。第１電源配線Ｐ１および第２電源配線Ｐ２は、Ｔｘスキャナ３２の外側で、第２基板ＳＵＢ２の側縁に沿って延在している。第１電源配線Ｐ１および第２電源配線Ｐ２は、Ｔｘスキャナ３２の各シフトレジスタＳＲに接続されている。  
偶数列の第２検出電極Ｒｘ２〜Ｒｘｎ−１に接続された複数の第２制御配線ＣＬ２ｂは、第２基板ＳＵＢ２の短辺側の非表示領域ＥＤにおいて、スイッチＳＷとＴｘスキャナ（シフトレジスタＳＲ）３２との間に、第２基板ＳＵＢ２の短辺とほぼ平行に配置されている。複数の第１制御配線ＣＬ１は、ステップ状に屈曲して設けられている。すなわち、各第１制御配線ＣＬ１は、シフトレジスタＳＲから第２基板ＳＵＢ２の短辺と直交する方向に延出した後、直角に屈曲し、第２基板ＳＵＢ２の短辺と平行に延び、更に、直角に屈曲し、スイッチＳＷまで延びている。第１制御配線ＣＬ１は、その一部が、第２制御配線ＣＬ２ｂの傾斜部６４と交差して延びている。  
更に、本変形例によれば、第２制御配線ＣＬ２の外側で第２基板ＳＵＢ２の周縁部上にメッシュ状のグランド層６０が形成されている。このグランド層６０は、第１基板ＳＵＢ１上のＴｘスキャナ３２、第１および第２電源配線Ｐ１、Ｐ２に重ねて設けられている。そして、グランド層６０により、Ｔｘスキャナ３２、第１および第２電源配線Ｐ１、Ｐ２と第２制御配線ＣＬ２との間のカップリングの発生を抑制している。
【００４３】
（第２の実施形態）
図１５は、第２の実施形態に係る表示装置のタッチ検出装置を概略的に示す平面図、図１６は、制御配線と電源配線との配置構造の一例を模式的に示す平面図である。  
第２の実施形態によれば、タッチセンサ（タッチ検出装置）１６は、各第１検出電極Ｔｘの長手方向の両端側から駆動信号を入力するように構成されている。図１５に示すように、タッチセンサ１６は、第１基板ＳＵＢ１上に設けられた複数の第１検出電極Ｔｘ１〜Ｔｘｎと、絶縁層である第２基板ＳＵＢ２の上面に設けられた複数の第２検出電極Ｒｘ１〜Ｒｘｎと、を備えている。第１検出電極Ｔｘ１〜Ｔｘｎは、ストライプ状に形成され、それぞれ第１基板ＳＵＢ１の長手方向（第１方向Ｘ）に沿って延びている。また、第１検出電極Ｔｘ１〜Ｔｘｎは、長手方向と直交する幅方向（第２方向Ｙ）に所定の間隔を置いて互いに平行に並んでいる。第１検出電極Ｔｘ１〜Ｔｘｎは、表示領域（タッチ検出領域）ＤＡのほぼ全面に対向して設けられている。  
第２検出電極Ｒｘ１〜Ｒｘｎは、ストライプ状に形成され、それぞれ第２基板ＳＵＢ２の幅方向（第２方向Ｙ）、すなわち、第１検出電極Ｔｘ１〜Ｔｘｎの延出方向と直交あるいは交差する方向に延びている。第２検出電極Ｒｘ１〜Ｒｘｎは、第２基板ＳＵＢ２の長手方向に所定の間隔を置いて互いに平行に並んでいる。第２検出電極Ｒｘ１〜Ｒｘｎは、表示領域ＤＡのほぼ全面に対向して設けられている。これにより、第２検出電極Ｒｘ１〜Ｒｘは、表示領域ＤＡ内において、第１検出電極Ｔｘ１〜Ｔｘｎと交差するように配置され、更に、交差部分は、第２基板ＳＵＢ２を挟んで第１検出電極Ｔｘ１〜Ｔｘｎに対向している。  
【００４４】
第２の実施形態では、第１基板ＳＵＢ１上において、長手方向一端側および他端側に、それぞれ複数のシフトレジスタＳＲを有するＴｘスキャナ３２が設けられている。また、各第１検出電極Ｔｘの長手方向両端に隣接してスイッチＳＷが設けられ、それぞれ第１検出電極Ｔｘに接続されている。Ｔｘスキャナ３２の各シフトレジスタＳＲは、第１制御配線ＣＬ１により、対応するスイッチＳＷに接続されている。  
複数の第２制御配線ＣＬ２は、第２検出電極Ｒｘ１〜Ｒｘｎの長手方向の一端から延出し、表示パネル１２の非表示領域ＥＤを通って、第２ＦＰＣ２２に接続されている。本実施形態において、奇数列の第２検出電極Ｒｘ１、Ｒｘ３、〜Ｒｘｎ−１については、第２制御配線ＣＬ２ｂは、図１５においてＹ方向を鉛直方向とした場合、第２検出電極Ｒｘの上端（Ｙ方向の一端）から延出し、第２基板ＳＵＢ２の長辺側の非表示領域ＥＤを通り、更に、第２基板ＳＵＢ２の短辺側の非表示領域ＥＤを通って、第２ＦＰＣ２２まで延びている。偶数列の第２検出電極Ｒｘ２、Ｒｘ４、〜Ｒｘｎについては、第２制御配線ＣＬ２ａは、第２検出電極Ｒｘの下端（Ｙ方向の他端）から延出し、第２基板ＳＵＢ２の長辺側の非表示領域ＥＤを通り、第２ＦＰＣ２２まで延びている。  
第２ＦＰＣ２２は、第２基板ＳＵＢ２の短辺において、一端側にずれて、すなわち、図１５においてＹ方向を鉛直方向とした場合、短辺の下端近傍の位置に接合されている。そのため、奇数列の第２検出電極Ｒｘ１、Ｒｘ３〜Ｒｘｎ−１に接続された第２制御配線ＣＬ２ｂは、第２基板ＳＵＢ２の短辺側の非表示領域ＥＤにおいて、短辺のほぼ全長に亘って延在している。
【００４５】
第２基板ＳＵＢ２の駆動ＩＣチップ１４側に位置する短辺側端部において、第１制御配線ＣＬ１および第２制御配線ＣＬ２ｂは、前述した第１の実施形態と同様に配列されている。すなわち、奇数列の第２検出電極Ｒｘ１、Ｒｘ３〜Ｒｘｎ−１に接続された複数の第２制御配線ＣＬ２ｂは、第２基板ＳＵＢ２の短辺側の非表示領域ＥＤにおいて、スイッチＳＷとＴｘスキャナ（シフトレジスタＳＲ）３２との間を、第２基板ＳＵＢ２の短辺とほぼ平行な方向に配設されている。  
スイッチＳＷに制御信号を送る第１制御配線ＣＬ１は、Ｔｘスキャナ３２のシフトレジスタＳＲから対応するスイッチＳＷまでそれぞれ延びている。各第１制御配線ＣＬ１は、例えば、階段状に屈曲して設けられている。すなわち、各第１制御配線ＣＬ１は、シフトレジスタＳＲから第２制御配線ＣＬ２ｂと直交する方向に延出した後、直角に屈曲し、第２制御配線ＣＬ２ｂと平行に延び、更に、直角に屈曲し、スイッチＳＷまで第２制御配線ＣＬ２と直交あるいは交差する方向に延びている。これにより、第１制御配線ＣＬ１は、その一部が、第２制御配線ＣＬ２ｂと直交するように重なって位置し、一部が、第２制御配線ＣＬ２ｂと平行に重なって延びている。また、各第１制御配線ＣＬ１の幅は、第１検出電極Ｔｘの幅よりも狭く、更に、第２制御配線ＣＬ２の幅Ｗ２よりも狭く形成されている。実施形態では、第１制御配線ＣＬ１の幅は、第２制御配線ＣＬ２の幅の１／２以下、より好ましくは、１／５以下に形成されている。
【００４６】
第２の実施形態によれば、第１基板ＳＵＢ１の非表示領域、すなわち、周縁部に、第１電源配線（ＶＣＯＭＳＥＬ）Ｐ１および第２電源配線（ｘＶＣＯＭＳＥＬ）Ｐ２が設けられ、全周に亘って延在している。第１制御配線として機能する第１および第２電源配線Ｐ１、Ｐ２は、第１基板ＳＵＢ１の一対の長辺および一対の短辺に沿って延在している。第１および第２電源配線１、Ｐ２は、一対のＴｘスキャナ３２および駆動ＩＣチップ１４に電気的に接続されている。  
図１５および図１６に示すように、第１および第２電源配線Ｐ１、Ｐ２の内、第１基板ＳＵＢ１の一対の長辺に沿って延在する長辺側配線部は、この長辺と平行な方向に対し、角度θ２（例えば、５〜９０度）だけ傾斜して延びている。本実施形態では、第１および第２電源配線Ｐ１、Ｐ２の長辺側配線部は、中央部で屈曲している。すなわち、第１および第２電源配線Ｐ１、Ｐ２の長辺側配線部は、第１基板ＳＵＢ１の長辺の一端からほぼ中央部まで、第２検出電極Ｒｘ側に角度θ２だけ傾斜して延び、この中央部から長辺の他端まで、外側に角度θ２だけ傾斜して延びている。これにより、第１および第２電源配線Ｐ１、Ｐ２の長辺側配線部は、第２制御配線ＣＬ２ａ、ＣＬ２ｂと平行に延びることなく、第２制御配線ＣＬ２ａ、ＣＬ２ｂに対して傾斜した状態で交差および重複している。
【００４７】
第２制御配線ＣＬ２の外側で第２基板ＳＵＢ２の周縁部上にメッシュ状のグランド層６０が形成されている。このグランド層６０は、第１基板ＳＵＢ１上の一方のＴｘスキャナ３２（例えば、駆動ＩＣチップ１４側に設けられたＴｘスキャナ３２）、第１および第２電源配線Ｐ１、Ｐ２に重ねて設けられている。そして、グランド層６０により、Ｔｘスキャナ３２、第１および第２電源配線Ｐ１、Ｐ２と第２制御配線ＣＬ２との間のカップリングの発生を抑制している。
【００４８】
以上のように構成された本実施形態に係るタッチ検出装置および表示装置によれば、タッチ検出用の第１検出電極Ｔｘ１〜Ｔｘｎに接続された第１制御配線ＣＬ１は、その一部が第２制御配線ＣＬ２ｂに重ねてあるいは交差して設けられている。これらの重なり部分は、平行と異なる角度を持って第２制御配線ＣＬ２ｂと重なり、第２制御配線ＣＬ２ｂと平行に重なる領域を大幅に低減している。同時に、第１制御配線ＣＬ１は、第２制御配線ＣＬ２ｂ幅Ｗ２に比較して、狭い幅Ｗ１（Ｗ２の１／２以下、好ましくは１／５以下）に形成されているため、第１制御配線ＣＬ１と第２制御配線ＣＬ２ｂとが重なる部分の面積（重なり面積）を大幅に低減することが可能となる。これにより、第１制御配線ＣＬ１と第２制御配線ＣＬ２ｂとの重なり部分に形成されるカップリング容量を大幅に低減することができる。
【００４９】
また、制御配線として機能する第１および第２電源配線Ｐ１、Ｐ２の長辺側配線部は、角度θ２の傾斜角度を持って、第２制御配線ＣＬ２ａ、ＣＬ２ｂと交差し、あるいは重なって延びている。これにより、第１および第２電源配線Ｐ１、Ｐ２が第２制御配線ＣＬ２ａ、ＣＬ２ｂと平行に重なることが無く、重なり部分の面積を大幅に低減することが可能となる。同時に、各電源配線と複数の第２制御配線ＣＬ２との複数の重なり部の重なり面積が均一となり、タッチ検出領域におけるノイズの発生およびタッチ検出性能の劣化を抑制することができる。  
以上のことから、第２の実施形態においても、カップリング容量に起因するタッチ検出領域におけるノイズの発生およびタッチ検出性能の劣化を抑制し、タッチ検出領域の全域に亘って安定したタッチ検出を実現可能なタッチ検出装置、およびこれを備える表示装置を得ることができる。  
なお、第１検出電極、および第２検出電極の設置数、形状、および形成材料は、上述した第１の実施形態に限定されることなく、適宜、変更することができる。タッチ検出装置の第１検出電極は、表示パネル１２の第１基板ＳＵＢ１上に設ける場合に限らず、第２基板ＳＵＢ２の表示面上に重ねて、第１検出電極、絶縁層、および第２検出電極を積層した構成としてもよい。また、第１制御配線ＣＬ１と第２制御配線ＣＬ２ｂとの配線構造および積層構造は、第２の実施形態に限定されることなく、前述した第１〜第６変形例のいずれを適用することも可能である。
【００５０】
（第７変形例）  
図１７は、第７変形例に係る配線構造を概略的に示している。前述した第２の実施形態において、第２制御配線ＣＬ２ａ、ＣＬ２ｂの第２検出電極Ｒｘに接続された端部の形状は、矩形状に限らず、図１７に示すように、複数段のステップ状としてもよい。このようなステップ形状とすることにより、第２制御配線ＣＬ２ａ、ＣＬ２ｂの端部と第１および第２電源配線Ｐ１、Ｐ２との交差角度をより大きくし、９０度に近づけることができる。これにより、第２制御配線ＣＬ２ａ、ＣＬ２ｂと第１および第２電源配線Ｐ１、Ｐ２とが重なる部分の面積を低減し、カップリング容量を一層低減することが可能となる。
【００５１】
（第８変形例）  
図１８は、第８変形例に係る配線構造を概略的に示している。前述した第２の実施形態において、第１および第２電源配線Ｐ１、Ｐ２は、第２制御配線ＣＬ２ａ、ＣＬ２ｂの一部と重なる構成としたが、これに限らず、図１８に示すように、第１および第２電源配線Ｐ１、Ｐ２は、第２制御配線ＣＬ２ａ、ＣＬ２ｂに重なることなく、第２制御配線ＣＬ２ａ、ＣＬ２ｂから離間して配置してもよい。この場合、第１および第２電源配線Ｐ１、Ｐ２は、カップリングが生じることのない距離ｄだけ、第２制御配線ＣＬ２ａ、ＣＬ２ｂから離して設けられる。
【００５２】
（第３の実施形態）  
図１９は、第３の実施形態に係るタッチ検出装置を備えた表示装置の断面図、図２０は、タッチ検出装置を概略的に示す平面図である。  
第２の実施形態によれば、タッチ検出装置（タッチセンサ）１６は、独立したタッチパネルとして構成され、表示パネル１２の表示面上に設けられている。  
詳細に述べると、タッチ検出装置１６は、例えば、透明な合成樹脂で形成された第１絶縁層ＩＦ１と、この第１絶縁層ＩＦ１上に設けられた複数の第１検出電極ＴＸ１〜Ｔｘｎと、透明な合成樹脂で形成された第２絶縁層ＩＦ２と、この第２絶縁層ＩＦ２上に設けられた複数の第２検出電極Ｒｘ１〜Ｒｘｎと、を有している。第２絶縁層ＩＦ２は、第１検出電極Ｔｘ１〜Ｔｘｎおよび第１絶縁層ＩＦ１に積層されている。これにより、第１検出電極Ｔｘ１〜Ｔｘｎは、第２絶縁層ＩＦ２を挟んで、第２検出電極Ｒｘ１〜Ｒｘｎに対向している。
【００５３】
表示パネル１２は、第１基板ＳＵＢ１と、第１基板ＳＵＢ１に隙間を置いて対向配置された第２基板ＳＵＢ２と、これら第１基板と第２基板との間に配置された液晶層ＬＱと、を有している。そして、タッチ検出装置１６の第１絶縁層ＩＦ１は、透明な接着剤層ＡＤ２により、表示パネル１２の表示面に貼付されている。更に、本実施形態では、タッチ検出装置１６上に、透明な接着剤層ＡＤ１により、透明なカバーパネル６２が貼付されている。
【００５４】
図２０に示すように、第１検出電極Ｔｘ１〜Ｔｘｎは、ストライプ状に形成され、それぞれ第１絶縁層ＩＦ１の長手方向（第１方向Ｘ）に沿って配設されている。また、第１検出電極Ｔｘ１〜Ｔｘｎは、長手方向と直交する幅方向（第２方向Ｙ）に所定の間隔を置いて互いに平行に並んでいる。第１検出電極Ｔｘ１〜Ｔｘｎは、表示領域（タッチ検出領域）ＤＡのほぼ全面に対向して設けられている。  
第２検出電極Ｒｘ１〜Ｒｘｎは、ストライプ状に形成され、それぞれ第２基板ＳＵＢ２の幅方向（第２方向Ｙ）、すなわち、第１検出電極Ｔｘ１〜Ｔｘｎの延出方向と直交する方向に延びている。第２検出電極Ｒｘ１〜Ｒｘｎは、第２基板ＳＵＢ２の長手方向に所定の間隔を置いて互いに平行に並んでいる。第２検出電極Ｒｘ１〜Ｒｘｎは、表示領域ＤＡのほぼ全面に対向して設けられている。これにより、第２検出電極Ｒｘ１〜Ｒｘは、表示領域ＤＡ内において、第１検出電極Ｔｘ１〜Ｔｘｎと交差するように配置され、更に、第２絶縁層ＩＦ２を挟んで第１検出電極Ｔｘ１〜Ｔｘｎに重ねて配置されている。  
【００５５】
第１絶縁層ＩＦ１の非表示領域ＥＤ上に複数の第１制御配線ＣＬ１が設けられている。複数の第１制御配線ＣＬ１は、第１検出電極Ｔｘ１〜Ｔｘｎの長手方向一端に接続され、これらの第１検出電極から第１方向Ｘに延出した後、ほぼ直角に屈曲し、第２方向Ｙ（第１絶縁層ＩＦ１の短辺に沿って）に延びている。第１制御配線ＣＬ１は、図示しない駆動ＩＣチップに接続される。他の複数本の第１制御配線ＣＬ１は、第１検出電極Ｔｘ１〜Ｔｘｎの長手方向他端に接続され、これらの第１検出電極から第１方向Ｘに延出した後、ほぼ直角に屈曲し、第２方向Ｙ（第１絶縁層ＩＦ１の他方の短辺に沿って）に延びている。これら他の第１制御配線ＣＬ１は、図示しない駆動ＩＣチップに接続される。第１制御配線ＣＬ１を介して、駆動ＩＣチップから第１検出電極Ｔｘ１〜ＴｘｎにＴｘ駆動信号（ＴＰＨ、ＴＰＬ）が供給される。
【００５６】
第２絶縁層ＩＦ２の非表示領域ＥＤ上に複数の第２制御配線ＣＬ２が設けられている。複数の第２制御配線ＣＬ２は、第２検出電極Ｒｘ１〜Ｒｘｎの長手方向の一端から第２方向Ｙに延出した後、第１方向Ｘ（図において右方向）に屈曲し、更に、第２方向Ｙに屈曲し、第２絶縁層ＩＦ２の一方の短辺に沿って延びている。他の複数の第２制御配線ＣＬ２は、第２検出電極Ｒｘ１〜Ｒｘｎの長手方向の一端から第２方向Ｙに延出した後、第１方向Ｘ（図において左方向）に屈曲し、更に、第２方向Ｙに屈曲し、第２絶縁層ＩＦ２の他方の短辺に沿って延びている。これら複数の第２制御配線ＣＬ２は、図示しないタッチ検出用のタッチ駆動ＩＣチップに接続される。これにより、第２検出電極Ｒｘ１〜Ｒｘｎで検出された検出信号は、第２制御配線ＣＬ２を介してタッチ駆動ＩＣチップに送られる。
【００５７】
第１制御配線ＣＬ１および第２制御配線ＣＬ２ｂの少なくとも一方は、重なり位置において、他方の制御配線に対して傾斜角度を持って、すなわち、斜めに交差するように重なって延びている。  
本実施形態によれば、第１絶縁層ＩＦ１の一対の短辺側端部において、第１制御配線ＣＬ１は、それぞれ第１絶縁層ＩＦ１の短辺とほぼ平行に、すなわち、第２方向Ｙに、延びている。これに対して、複数の第２制御配線ＣＬ２は、第２絶縁層ＩＦ２の一対の短辺側端部において、この短辺と平行な方向に対し、角度θ２（例えば、５〜９０度）だけ傾斜して延びている。本実施形態では、第２制御配線ＣＬ２は、中央部で屈曲している。すなわち、第２制御配線ＣＬ２は、第２絶縁層ＩＦ２の短辺の一端からほぼ中央部まで、第２絶縁層ＩＦ２の短辺と平行な方向に対して、第２検出電極Ｒｘ側に角度θ２だけ傾斜して延び、この中央部から短辺の他端まで、第２絶縁層ＩＦ２の短辺と平行な方向に対して、外側に角度−θ２だけ傾斜して延びている。これにより、第１および第２絶縁層ＩＦ１、ＩＦ２の一対の短辺側端部において、複数の第２制御配線ＣＬ２は、第１制御配線ＣＬ１と平行に延びることなく、第１制御配線ＣＬ１に対して傾斜した状態で交差および重複している。
【００５８】
以上のように構成された第３の実施形態に係るタッチ検出装置および表示装置によれば、第１制御配線ＣＬ１および第２制御配線ＣＬ２ｂの少なくとも一方は、重なり位置において、他方の制御配線に対して傾斜角度を持って、すなわち、斜めに交差するように重なって延びている。これにより、第１制御配線ＣＬ１と第２制御配線ＣＬ２が平行に重なることが無く、重なり部分の面積を大幅に低減することが可能となる。同時に、各第１制御配線ＣＬ１と複数の第２制御配線ＣＬ２との複数の重なり部の重なり面積が均一となり、タッチ検出領域におけるノイズの発生およびタッチ検出性能の劣化を抑制することができる。以上のことから、第３の実施形態においても、カップリング容量に起因するタッチ検出領域におけるノイズの発生およびタッチ検出性能の劣化を抑制し、タッチ検出領域の全域に亘って安定したタッチ検出を実現可能なタッチ検出装置、およびこれを備える表示装置を得ることができる。  
なお、第１検出電極、および第２検出電極の設置数、形状、および形成材料は、上述した第１の実施形態に限定されることなく、適宜、変更することができる。第１制御配線ＣＬ１と第２制御配線ＣＬ２ｂとの配線構造および積層構造は、第２の実施形態に限定されることなく、前述した第１〜第６変形例のいずれを適用することも可能である。また、表示パネルは、液晶表示パネルに限定されることなく、有機ＥＬ表示パネルを適用することも可能である。
【００５９】
（第９変形例）  
図２１は、第９変形例に係る配線構造を概略的に示している。前述した第２の実施形態において、第１制御配線ＣＬ１と第２制御配線ＣＬ２とが重なる領域では、いずれか一方の配線、例えば、第２制御配線ＣＬ２を波状、サイン波状、鋸歯状等の連続した凹凸を有する形成に形成されている。このように、各第２制御配線ＣＬ２を例えば、波状に形成することにより、第２制御配線ＣＬ２は、第１制御配線ＣＬ１との全ての重なり部において、角度３０ないし９０度の傾斜角度を持って、第１制御配線ＣＬ１と交差して延びている。これにより、第１制御配線ＣＬ１が第２制御配線ＣＬ２ｂと平行に重なることが無く、重なり部分の面積を大幅に低減することが可能となる。同時に、各第１制御配線ＣＬ１と複数の第２制御配線ＣＬ２との複数の重なり部の重なり面積が実質的に均一となり、タッチ検出領域におけるノイズの発生およびタッチ検出性能の劣化を抑制することができる。
【００６０】
本発明のいくつかの実施形態、変形例を説明したが、これらの実施形態および変形例は、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。実施形態やその変形例は、発明の範囲や要旨に含まれるとともに、特許請求の範囲に記載された発明とその均等の範囲に含まれる。
【００６１】
本発明の実施形態、変形例として上述した各構成を基にして、当業者が適宜設計変更して実施し得る全ての構成も、本発明の要旨を包含する限り、本発明の範囲に属する。  
また、上述した実施形態によりもたらされる他の作用効果について本明細書の記載から明らかなもの、又は当業者において適宜想到し得るものついては、当然に本発明によりもたらされるものと解される。
【符号の説明】
【００６２】
１０…表示装置、１２…表示パネル、１４、１８…駆動ＩＣチップ、  
１６…タッチセンサ（タッチ検出装置）、２０…第１ＦＰＣ、２２…第２ＦＰＣ、  
３０…タッチ駆動回路、３２…Ｔｘスキャナ（シフトレジスタ）、  
ＳＵＢ１…アレイ基板、ＳＵＢ２…対向基板、Ｔｘ…第１検出電極、  
Ｒｘ…第２検出電極、ＣＬ１…第１制御配線、ＣＬ２…第２制御配線、
ＳＷ…スイッチ、Ｐ１…第１電源配線、Ｐ２…第２電源配線
【図１】
2020194601.tif 000003
【図２】
2020194601.tif 000004
【図３】
2020194601.tif 000005
【図４】
2020194601.tif 000006
【図５】
2020194601.tif 000007
【図６Ａ】
2020194601.tif 000008
【図６Ｂ】
2020194601.tif 000009
【図７】
2020194601.tif 000010
【図８Ａ】
2020194601.tif 000011
【図８Ｂ】
2020194601.tif 000012
【図９Ａ】
2020194601.tif 000013
【図９Ｂ】
2020194601.tif 000014
【図１０Ａ】
2020194601.tif 000015
【図１０Ｂ】
2020194601.tif 000016
【図１１Ａ】
2020194601.tif 000017
【図１１Ｂ】
2020194601.tif 000018
【図１２】
2020194601.tif 000019
【図１３】
2020194601.tif 000020
【図１４】
2020194601.tif 000021
【図１５】
2020194601.tif 000022
【図１６】
2020194601.tif 000023
【図１７】
2020194601.tif 000024
【図１８】
2020194601.tif 000025
【図１９】
2020194601.tif 000026
【図２０】
2020194601.tif 000027
【図２１】
2020194601.tif 000028